(57)【要約】【課題】  シークインのサイズ変更に際し、テープガイド溝の中心線位置を変えずに、その幅を簡単に調整する。【解決手段】  シークインＳを連ねたテープＴをリールからベース１０に供給する。ベース１０の開口部２６に案内部材２５を収め、テープＴを案内部材２５で案内し、送出ピン２０でミシンの縫付位置に向けて送り出す。案内部材２５の表面及び裏面に異なる幅のテープガイド溝２７，２８を中心線を揃えて形成する。ベース１０にガイド溝２７，２８の中心線を送出ピン２０の移動軸線と整合させるピン３２を設け、ピン３２に案内部材２５を表裏反転可能に取り付ける。複数の案内部材２５にそれぞれ異なる幅のガイド溝２７，２８を形成し、各案内部材２５をベース１０に交換可能に取り付ける。【選択図】        図３
2005334243.tif 000002
【特許請求の範囲】
【請求項１】
シークインを連ねたテープを受けるベースと、ベースの上でテープを案内する案内部材と、案内部材に添わせてテープをミシンの縫付位置に向けて送り出す送出部材とを備え、案内部材の表面及び裏面にテープガイド溝を互いに異なる幅で中心線を揃えて形成し、ベースにテープガイド溝の中心線を送出部材の移動軸線と整合させる取付部を設け、取付部に案内部材を表裏反転可能に取り付けたことを特徴とするシークインテープ供給装置。
【請求項２】
シークインを連ねたテープを受けるベースと、ベースの上でテープを案内する案内部材と、案内部材に添わせてテープをミシンの縫付位置に向けて送り出す送出部材とを備え、案内部材にテープガイド溝を形成し、ベースにテープガイド溝の中心線を送出部材の移動軸線と整合させる取付部を設け、取付部に案内部材をテープガイド溝の幅が異なる別の案内部材と交換可能に取り付けたことを特徴とするシークインテープ供給装置。
【請求項３】
シークインを連ねたテープを受けるベースと、ベースの上でテープを案内する案内部材と、案内部材に添わせてテープをミシンの縫付位置に向けて送り出す送出部材とを備え、案内部材が相対面間にテープガイド溝を形成する一対のガイド板と、両方のガイド板に架かるブリッジ板とを含み、ブリッジ板の表面及び裏面に両ガイド板の間隔を規制する規制部を互いに異なる幅で中心線を揃えて形成し、ベースに規制部の中心線を送出部材の移動軸線と整合させる取付部を設け、取付部にブリッジ板を表裏反転可能に取り付けたことを特徴とするシークインテープ供給装置。
【請求項４】
シークインを連ねたテープを受けるベースと、ベースの上でテープを案内する案内部材と、案内部材に添わせてテープをミシンの縫付位置に向けて送り出す送出部材とを備え、案内部材が相対面間にテープガイド溝を形成する一対のガイド板と、両方のガイド板に架かるブリッジ板とを含み、ブリッジ板に両ガイド板の間隔を規制する規制部を形成し、ベースに規制部の中心線を送出部材の移動軸線と整合させる取付部を設け、取付部にブリッジ板を規制部の幅が異なる別のブリッジ板と交換可能に取り付けたことを特徴とするシークインテープ供給装置。
【発明の詳細な説明】
【技術分野】
【０００１】
本発明は、シークインを連ねたテープをミシンの縫付位置に供給するシークインテープ供給装置に関するものである。
【背景技術】
【０００２】
特許文献１には、シークインテープを受けるベースと、ベースの上にテープガイド溝を形成する左右一対の案内部材と、案内部材に添わせてテープをミシンの縫付位置に向けて送り出す送出部材とを備えた装置が記載されている。案内部材にはテープの幅方向に長い長孔が形成され、長孔の長さ範囲内で左右の案内部材の間隔を変えることにより、テープガイド溝の幅を調整して、シークインのサイズ変更に対応できるようになっている。
【特許文献１】欧州特許出願公開第０７６８４１７号明細書
【発明の開示】
【発明が解決しようとする課題】
【０００３】
ところが、従来装置によると、左右の案内部材が分離しているので、シークインのサイズ変更に際し、二つの案内部材を別々に調整する必要があり、テープガイド溝の幅調整に手間がかかるという問題点があった。また、二つの案内部材を手加減で調整しているため、調整量の違いによってテープガイド溝の中心線位置が変わりやすく、テープの先頭のシークインを縫製位置に正確に供給することが困難であった。
【０００４】
本発明の目的は、上記課題を解決し、シークインのサイズ変更に際し、テープガイド溝の中心線位置を変えずに、その幅を簡単に調整することができるシークインテープ供給装置を提供することにある。
【課題を解決するための手段】
【０００５】
上記の課題を解決するために、本発明は、シークインを連ねたテープを受けるベースと、ベースの上でテープを案内する案内部材と、案内部材に添わせてテープをミシンの縫付位置に向けて送り出す送出部材とを備えたシークインテープ供給装置において、以下の手段を設けたことを特徴とする。
【０００６】
（１）案内部材の表面及び裏面にテープガイド溝を互いに異なる幅で中心線を揃えて形成し、ベースにテープガイド溝の中心線を送出部材の移動軸線と整合させる取付部を設け、取付部に案内部材を表裏反転可能に取り付ける。この場合、複数の案内部材にそれぞれ異なる幅のテープガイド溝を形成し、各案内部材をベースの取付部に交換可能に取り付けてもよい。
【０００７】
（２）案内部材にテープガイド溝を形成し、ベースにテープガイド溝の中心線を送出部材の移動軸線と整合させる取付部を設け、取付部に案内部材をテープガイド溝の幅が異なる別の案内部材と交換可能に取り付ける。この場合、案内部材の表面及び裏面に互いに異なる幅のテープガイド溝を形成し、各案内部材をベースの取付部に表裏反転可能に取り付けてもよい。
【０００８】
（３）案内部材が相対面間にテープガイド溝を形成する一対のガイド板と、両方のガイド板に架かるブリッジ板とを含み、ブリッジ板の表面及び裏面にガイド板の間隔を規制する規制部を互いに異なる幅で中心線を揃えて形成し、ベースに規制部の中心線を送出部材の移動軸線と整合させる取付部を設け、取付部にブリッジ板を表裏反転可能に取り付ける。この場合、複数のブリッジ板にそれぞれ異なる幅の規制部を形成し、各ブリッジ板をベースの取付部に交換可能に取り付けてもよい。
【０００９】
（４）案内部材が相対面間にテープガイド溝を形成する一対のガイド板と、両方のガイド板に架かるブリッジ板とを含み、ブリッジ板にガイド板の間隔を規制する規制部を形成し、ベースに規制部の中心線を送出部材の移動軸線と整合させる取付部を設け、取付部にブリッジ板を規制部の幅が異なる別のブリッジ板と交換可能に取り付ける。この場合、ブリッジ板の表面及び裏面に互いに異なる幅の規制部を形成し、各ブリッジ板をベースの取付部に表裏反転可能に取り付けてもよい。
【発明の効果】
【００１０】
上記（１）の手段を備えたシークインテープ供給装置によれば、案内部材の表裏に異なる幅のテープガイド溝を形成したので、シークインのサイズ変更に際し、案内部材を反転するだけのワンタッチ操作で、テープガイド溝の幅を簡単に調整できる。また、ガイド溝の中心線がベースの取付部により送出部材の移動軸線と整合するように位置決めされるので、案内部材の反転に伴ってガイド溝の中心線がずれるおそれがなく、テープ先頭のシークインを縫付位置に正確に供給することができる。
【００１１】
上記（２）の手段を備えたシークインテープ供給装置によれば、シークインのサイズ変更に際し、案内部材をテープガイド溝の幅が異なる別の案内部材と交換するだけのワンタッチ操作で、テープガイド溝の幅を簡単に調整できる。また、ガイド溝の中心線がベースの取付部により送出部材の移動軸線と整合するように位置決めされるので、案内部材の交換に伴ってガイド溝の中心線がずれるおそれがなく、テープ先頭のシークインを縫付位置に正確に供給することができる。
【００１２】
上記（３）の手段を備えたシークインテープ供給装置によれば、ブリッジ板の表裏に異なる幅の規制部を形成したので、シークインのサイズ変更に際し、ブリッジ板を反転するだけのワンタッチ操作で、一対のガイド板の間隔を変更して、テープガイド溝の幅を簡単に調整できる。また、規制部の中心線がベースの取付部により送出部材の移動軸線と整合するように位置決めされるので、ブリッジ板の反転に伴ってガイド溝の中心線がずれるおそれがなく、テープ先頭のシークインを縫付位置に正確に供給することができる。
【００１３】
上記（４）の手段を備えたシークインテープ供給装置によれば、シークインのサイズ変更に際し、ブリッジ板を規制部の幅が異なる別のブリッジ板と交換するだけのワンタッチ操作で、一対のガイド板の間隔を変更して、テープガイド溝の幅を簡単に調整できる。また、規制部の中心線がベースの取付部により送出部材の移動軸線と整合するように位置決めされるので、ブリッジ板の交換に伴ってガイド溝の中心線がずれるおそれがなく、テープ先頭のシークインを縫付位置に正確に供給することができる。
【発明を実施するための最良の形態】
【００１４】
図３に本発明を実施するための最良の形態を示す。このシークインテープ供給装置は、シークインＳを連ねたテープＴを受けるベース１０と、ベース１０の上でテープＴを直進案内する案内部材２５と、案内部材２５に添わせてテープＴをミシンの縫付位置に向けて送り出す送出部材２０とを備える。案内部材２５の表面及び裏面には、幅狭のテープガイド溝２７と幅広のテープガイド溝２８とが中心線を揃えて形成される。ベース１０にはテープガイド溝２７，２８の中心線を送出部材２０の移動軸線と整合させる取付部３２が設けられ、この取付部３２に案内部材２５が表裏反転可能に取り付けられる。また、複数の案内部材２５にそれぞれ異なる幅のガイド溝２７，２８が形成され、各案内部材２５が取付部３２に交換可能に取り付けられる。
【実施例１】
【００１５】
以下、本発明の実施例１を図１〜図８に基づいて説明する。図１，図２に示すように、このシークインテープ供給装置１は、刺繍ミシンのヘッド２に取り付けられるフレーム３を備えている。フレーム３にはスライドカバー４が斜めに昇降可能に支持され、エアシリンダ（図示略）によって駆動される。スライドカバー４には、シークインＳを連ねたテープＴを収納するリール５と、テープＴを案内する回転子６と、テープＴを刺繍ミシンの縫付位置（針棒７の下側）に供給する供給機構８とが設けられている。
【００１６】
供給機構８は垂直なブラケット９を備え、ブラケット９の下端にテープＴを受けるベース１０が水平に取り付けられている。ブラケット９の前面にはブロック１１によりロッド１２が保持され、ロッド１２にスライダ１３が前後方向（テープＴの送り方向）へ摺動可能に支持されている。ブラケット９の裏面にはモータ１４が取り付けられ、モータ軸１５がアーム１６とリンク１７を介してスライダ１３に連結されている。スライダ１３には給送部材１８が軸１９により上下に揺動可能に取り付けられ、給送部材１８の前端にＬ字形の送出ピン２０が下向きに突設されている。
【００１７】
ブラケット９の前端部には送出ピン２０に係合可能な部材２１と、テープＴを切断するカッタ２２とが配設されている。給送部材１８はスライダ１３と共にモータ１４により前後方向に駆動され、給送部材１８の前進時に、送出ピン２０が係合部材２１により押し下げられ、送出ピン２０の下端がシークインＳの穴ｈ（図３参照）に挿入される。そして、送出ピン２０がテープＴを案内部材２５に添わせて縫付位置に向けて送り出し、先頭のシークインＳを針棒７の下側に供給し、針棒７の下降時に、針止め２３がカッタ２２を踏み下げ、カッタ２２が先頭シークインＳをテープＴから切断するようになっている。
【００１８】
図３，図４，図５に示すように、案内部材２５はベース１０の開口部２６に収められ、テープＴをベース１０の上面において直進案内する。開口部２６はベース１０の前端部において、送出ピン２０の移動軸線Ａ（図４参照）に関し左右対称となる長方形に透設されている。案内部材２５は開口部２６と略同じ大きさの長方形の板状に形成されている。案内部材２５の幅方向（左右方向）の中心位置において表面及び裏面には、幅狭のテープガイド溝２７と幅広のテープガイド溝２８とが互いに中心線を揃えて前後方向に延びるように凹設されている。テープガイド溝２７，２８の底面には、送出ピン２０の下端が嵌入するスリット３３が形成されている。
【００１９】
案内部材２５の前後両端には、耳部２９がガイド溝２７，２８の底面を延長するように突設され、耳部２９の中心に係止孔３０が形成されている。ベース１０には耳部２９が嵌合する凹部３１と、係止孔３０が嵌合するピン３２とが共に開口部２６の中心線上に位置するように設けられている。そして、ピン３２がテープガイド溝２７，２８の中心線を送出ピン２０の移動軸線Ａと整合させる取付部として機能し、ピン３２に案内部材２５が表裏反転可能に取り付けられている（図５参照）。また、図６に示すように、テープガイド溝２７，２８の幅が異なる複数の案内部材２５が用意され、各案内部材２５がピン３２に交換可能に取り付けられる。
【００２０】
この実施例のシークインテープ供給装置１によれば、案内部材２５を反転して、幅狭のテープガイド溝２７又は幅広のテープガイド溝２８を上向きにすることにより、一つの案内部材２５でシークインＳの直径が異なる二種類のテープＴを案内できる。また、案内部材２５をガイド溝２７，２８の幅が異なる別の案内部材２５と交換すれば、さらに多種類のテープＴを案内できる。従って、シークインＳのサイズ変更に際し、案内部材２５を反転又は交換するだけのワンタッチ操作で、テープガイド溝２７，２８の幅を幾通りにも簡単に調整することができる。
【００２１】
また、案内部材２５の取付状態では、テープガイド溝２７，２８の中心線がピン３２により送出ピン２０の移動軸線Ａと整合する位置に位置決めされる。このため、案内部材２５の反転又は交換に伴ってガイド溝２７，２８の中心線位置がずれるおそれがない。従って、サイズ変更に付帯する調整作業を省略できるとともに、先頭のシークインＳを縫付位置に正確に供給して針２４で加工布Ｗに見栄えよく縫い付けることができる。なお、サイズ変更に際しては、モータ１４の回転数制御により送出ピン２０のストロークが調整され、先頭のシークインと次のシークインとの接続部がカッタ２２に位置決めされる。
【００２２】
図７，図８に案内部材の変更例を示す。この案内部材３５には表面のみにテープガイド溝３６が形成されている。そして、ガイド溝３６の幅が異なる複数の案内部材３５が用意され、各案内部材３５がベース１０のピン３２に交換可能に取り付けられる。従って、このシークインテープ供給装置によれば、シークインＳのサイズ変更に際し、案内部材３５を交換するだけのワンタッチ操作でガイド溝３６の幅を簡単に変更できるうえ、交換時にガイド溝３６の中心線位置がずれるおそれもない。
【実施例２】
【００２３】
次に、本発明の実施例２を図９〜図１５に基づいて説明する。この実施例のシークインテープ供給装置は、主に案内部材の構成において実施例１の装置と相違する。図９〜図１２に示すように、この案内部材３８は、テープガイド溝３９を形成する左右一対のガイド板４０と、両方のガイド板４０に架かるブリッジ板４１とから構成されている。ガイド板４０は相対向して前後方向へ延びるようにベース１０の上面に滑動可能に載置されている。テープガイド溝３９はガイド板４０の相対面間に形成され、ガイド溝３９の下側において、ベース１０に送出ピン２０の下端が嵌入するスリット４２が形成されている。
【００２４】
ブリッジ板４１の前後両端にはガイド板４０を跨ぐ架橋部４３が設けられている。架橋部４３の表面及び裏面には、ガイド板４０の間隔を規制してテープガイド溝３９の幅を決める規制部４４，４５が互いに異なる幅で中心線を揃えて形成されている。ガイド板４０の前後両端部には、架橋部４３に係止される突縁４６と長孔４７とが共に左右方向に長く形成され、架橋部４３に長孔４７に重なる挿通孔４８が設けられている。そして、挿通孔４８と長孔４７を通りベース１０のネジ孔４９に螺合するボルト５０により、ガイド板４０がベース１０に対し移動可能に、ブリッジ板４１がベース１０の定位置に組み付けられている。
【００２５】
ネジ孔４９はスリット４２の左右両側においてスライダ１３（図９参照）の下側を除くベース１０の３箇所に形成され、ネジ孔４９に螺合するボルト５０が規制部４４，４５の中心線を送出ピン２０の移動軸線Ａ（図１１参照）と整合させる取付部として機能する。そして、ボルト５０によりブリッジ板４１が表裏反転可能に取り付けられ（図１２参照）、下向きの規制部４５，４４によりガイド溝３９の幅がテープＴの幅（シークインＳの直径）に応じて決められるようになっている。また、図１３に示すように、規制部４４，４５の幅が異なる複数のブリッジ板４１が用意され、各ブリッジ板４１がボルト５０によってベース１０に交換可能に取り付けられる。
【００２６】
この実施例２のシークインテープ供給装置によれば、ブリッジ板４１を反転して、幅狭の規制部４５又は幅広の規制部４４を下向きにすることにより、一枚のブリッジ板４１でテープガイド溝３９の幅を二通りに変更して、シークインＳの直径が異なる二種類のテープＴを案内できる。また、ブリッジ板４１を規制部４４，４５の幅が異なる別のブリッジ板４１と交換すれば、さらに多種類のテープＴを案内できる。従って、シークインＳのサイズ変更に際し、ブリッジ板４１を反転又は交換するだけのワンタッチ操作で、テープガイド溝３９の幅を幾通りにも簡単に調整することができる。
【００２７】
また、ブリッジ板４１の取付状態では、規制部４４，４５の中心線がボルト５０によって送出ピン２０の移動軸線Ａと整合する位置に位置決めされる。このため、ブリッジ板４１の反転又は交換にあたり、ガイド板４０を規制部４４，４５の側面を基準にして組み付けることで、テープガイド溝３９の中心線を送出ピン２０の移動軸線Ａと正確に整合させることができる。従って、サイズ変更に付帯する調整作業を簡略化できるとともに、先頭のシークインＳを縫付位置に正確に供給して針２４で加工布Ｗに見栄えよく縫い付けることができる。
【００２８】
図１４，図１５にブリッジ板の変更例を示す。このブリッジ板５２には裏面のみに規制部５３が形成されている。そして、規制部５３の幅が異なる複数のブリッジ板５２が用意され、各ブリッジ板５２がボルト５０によりベース１０に交換可能に取り付けられる。従って、このシークインテープ供給装置によれば、シークインＳのサイズ変更に際し、ブリッジ板５２を交換するだけのワンタッチ操作でテープガイド溝３９の幅を簡単に調整できるうえ、交換時にガイド溝３９の中心線位置がずれるおそれもない。
【図面の簡単な説明】
【００２９】
【図１】本発明の実施例１を示すシークインテープ供給装置の側面図である。
【図２】テープ供給装置の供給機構を示す斜視図である。
【図３】供給機構のテープ案内部材を示す斜視図である。
【図４】案内部材の平面図である。
【図５】図４のＶ−Ｖ線断面図である。
【図６】図３の案内部材の交換用部材を示す断面図である。
【図７】案内部材の変更例を示す斜視図である。
【図８】図７の案内部材の交換用部材を示す断面図である。
【図９】本発明の実施例２を示すシークインテープ供給機構の斜視図である。
【図１０】供給機構のテープ案内部材を示す斜視図である。
【図１１】案内部材の平面図である。
【図１２】図１１のＸＩＩ−ＸＩＩ線断面図である。
【図１３】図１０のブリッジ板の交換用部材を示す断面図である。
【図１４】ブリッジ板の変更例を示す斜視図である。
【図１５】図１４のブリッジ板の交換用部材を示す断面図である。
【符号の説明】
【００３０】
１    シークインテープ供給装置
１０    ベース
２０    送出ピン
２５    案内部材
２７    テープガイド溝
２８    テープガイド溝
３２    ピン
３５    案内部材
３６    テープガイド溝
３８    案内部材
３９    テープガイド溝
４０    ガイド板
４１    ブリッジ板
４４    規制部
４５    規制部
５０    ボルト
５２    ブリッジ板
５３    規制部
Ｓ    シークイン
Ｔ    テープ
【図１】
2005334243.tif 000003
【図２】
2005334243.tif 000004
【図３】
2005334243.tif 000005
【図４】
2005334243.tif 000006
【図５】
2005334243.tif 000007
【図６】
2005334243.tif 000008
【図７】
2005334243.tif 000009
【図８】
2005334243.tif 000010
【図９】
2005334243.tif 000011
【図１０】
2005334243.tif 000012
【図１１】
2005334243.tif 000013
【図１２】
2005334243.tif 000014
【図１３】
2005334243.tif 000015
【図１４】
2005334243.tif 000016
【図１５】
2005334243.tif 000017